(57)【要約】【課題】眼屈折力測定の際に小児および乳幼児でも測定の間、固視が可能であって、かつ、従来の眼屈折力測定装置のように適切な雲霧をかけることにより被検眼の調節力を除去する眼屈折力測定装置を提供すること。【解決手段】被検眼の眼屈折力を測定する眼屈折力測定装置は、測定窓を介して被検眼の瞳孔内に測定光を投影し前記被検眼によって反射された前記測定光を受光して前記被検眼の屈折力を算出する測定部と、被検眼によって反射された測定光を受光し撮像する撮像部と、被検眼の固視および雲霧を行うための雲霧光学系と、雲霧光学系内に被検眼の固視を引付けるための色が遷移する背面照明を有する固視標と、を備える。【選択図】図１
2020127673.tif 000002
【特許請求の範囲】
【請求項１】
被検眼の眼屈折力を測定する眼屈折力測定装置において、
測定窓を介して前記被検眼の瞳孔内に測定光を投影し前記被検眼によって反射された前記測定光を受光して前記被検眼の屈折力を算出する測定部と、
前記被検眼によって反射された前記測定光を受光して撮像する撮像部と、
前記被検眼の固視および雲霧を行うための雲霧光学系と、
前記雲霧光学系内に前記被検眼の固視を引付けるための２色以上の色が遷移する背面照明を有する固視標と、
を備えることを特徴とする眼屈折力測定装置。
【請求項２】
さらに、前記被検眼の固視を前記雲霧光学系内に誘導するために前記測定窓の周囲に設けられた少なくとも２つ以上の発光素子を有する発光素子群を備える請求項１記載の眼屈折力測定装置。
【請求項３】
さらに、前記被検眼の固視を前記雲霧光学系内に誘導するための音声出力装置を備える請求項１または請求項２記載の眼屈折力測定装置。
【請求項４】
前記背面照明は、周期的に遷移可能な２色以上の色を有し、少なくとも１秒間隔以上で色が遷移する請求項１〜３の何れか１項記載の眼屈折力測定装置。
【請求項５】
前記発光素子群の少なくとも２つ以上の前記発光素子は、前記測定窓の周囲を一定方向に順次点灯消灯を少なくとも１秒間隔以上で繰り返す請求項１〜４の何れか１項記載の眼屈折力測定装置。
【請求項６】
前記発光素子群の少なくとも２つ以上の前記発光素子は、２色以上の配色を有し、少なくとも一つ置きの前記発光素子どうしまたは隣接する前記発光素子どうしは異なる配色である請求項１〜５の何れか１項記載の眼屈折力測定装置。
【請求項７】
前記音声発生装置は、前記被検眼の固視を引付ける音声を出力する請求項３〜６の何れか１項記載の眼屈折力測定装置。
【請求項８】
前記背面照明は、少なくとも緑色の中心波長を有する請求項１〜７の何れか１項記載の眼屈折力測定装置。
【請求項９】
前記発光素子群の２つ以上の前記発光素子は、少なくとも緑色の中心波長を有する請求項１〜８の何れか１項記載の眼屈折力測定装置。
【請求項１０】
被検者に音声により少なくとも測定開始を告知する工程と、
測定窓の周囲に設けられた２つ以上の発光素子を、前記測定窓の周囲に一定方向に順次点灯消灯を繰り返す工程と、
前記被検者の被検眼を雲霧光学系内に誘導後、前記雲霧光学系内の固視標の背面に設けられた背面照明の色を遷移させながら点灯させる工程と、
予め定められた時間経過後に、前記背面照明の輝度に対して前記発光素子の輝度を低下させる工程と、を有することを特徴とする眼屈折力測定方法。
【発明の詳細な説明】
【技術分野】
【０００１】
本発明は、小児や乳幼児に対しても有効な眼屈折力測定装置及び測定方法に関する。
【背景技術】
【０００２】
手持ち型眼屈折力測定装置としては、例えば、特許文献１には、被検眼の左右眼の判別と乱視軸方向の補正を行う手持ち型屈折力測定装置が、また、特許文献２には、測定中における被検眼と装置の測定との相対位置関係を安定させるための額当て移動機能を有する眼屈折力測定装置が、それぞれ提案されている。これらの従来の手持ち型眼屈折力測定装置は、眼屈折力測定の際、被検眼の視線合わせと視線の固定は装置の雲霧光学系内に固視標を配置し、被検者に固視標を固視してもらうことによって測定を行っている。また、これらの眼屈折力測定装置は、被検眼の眼屈折度数から、前記固視標を動かし屈折力をプラスの状態に誘導していき被検眼の調節力を除去することにより、正しい屈折値を測定することが知られている。
【０００３】
一方、小児および乳幼児は、眼屈折力測定装置を用いて被検眼の測定の際に、長い時間固視標を固視することが難しい。そこで、小児および乳幼児に関する上記課題を解決させるための手段として、特徴のある固視標を被検者の被検眼の前に置く必要があった。例えば、検査を行う医師等が、固視標としてキャラクタや人形、光物のおもちゃやペンライトなどを、小児や乳幼児の眼前で動かすことによって、固視標への興味を高め、被検眼の測定を行っていた。
【０００４】
上記のように、医師等が固視標を動かさずに、小児および乳幼児の固視標への興味を高める方法として、特許文献３には、音声発生器を備えたり、小児などの興味を惹くような形状の図柄を有する固視標を間欠的に光軸上に表すことによって、音声により固視標への注意を惹いたり、固視標それ自体に興味を惹きつける、固定型の眼屈折力測定装置が提案されている。特許文献４には、光軸上で光を点滅させることにより固視標を注視させて測定する手持ち型眼屈折力測定装置が提案されている。
【０００５】
さらに、特許文献５には、フォトレフラクション（photorefraction）を用いて光軸上で光を点滅させることによって、固視標を注視させる眼屈折力測定装置が提案されている。但し、フォトレフラクションの測定原理上、被検眼を眼屈折力測定装置から離して測定しなければ成らず、特許文献５の眼屈折力測定装置には、雲霧光学系を搭載することがない。そのため、特許文献５の眼屈折力測定装置は、被検眼を固視させる部分が装置の外側に設けられている。
【０００６】
そのため、特許文献５の眼屈折力測定装置では、被検眼は装置の外に設けられた固視標を見てしまい、測定中は装置の外側に設けられた固視標に焦点を合わせてしまうため、被検眼の調節力が入ってしまい、正しい屈折力を測定できない可能性があった。例えば、被検者の遠視を測定する際、被検眼は焦点を装置の外側に設けられた固視標に調節してしまうため、実際より近視方向に測定値が検出される問題がある。また、乳幼児および小児の眼は、大人の眼に比べ、大きな調節範囲を持っていることから、装置の外側に設けられた固視標を見てしまった場合、実際の屈折値よりも大きく近視よりに測定値が検出される問題がある。
【０００７】
また、特許文献５のような、フォトレフラクションを用いた装置は、測定光を眼底へ照射しその返ってきた反射光の画像を読み取って、その静止画像を解析することで眼屈折力を求めている。従って、網膜上の静的な光の陰影の割合または濃度の勾配を投影する画像素子の分解能に、測定精度が依存してしまう。現時点では、上記画像素子の分解能が高くないため、測定精度があまり高くなく、現状はスクリーニング装置ということで知られている。
【０００８】
特許文献６および特許文献７には、従来用いられている眼屈折力測定装置の装置構成が開示されている。一方、非特許文献１には、特に子供に対する「映像や光の点滅」について、ガイドラインが示されている。
【先行技術文献】
【特許文献】
【０００９】
【特許文献１】特開平７−２１３４８５号公報
【特許文献２】特開平８−１６４１１４号公報
【特許文献３】特開平３−１２６４３４号公報
【特許文献４】国際公開第９３／０２４０４８号
【特許文献５】米国特許第９４０８５３５号明細書
【特許文献６】特許第３０７１６９３号
【特許文献７】特許第５５６３００９号
【非特許文献】
【００１０】
【非特許文献１】「アニメーション等の映像手法に関するガイドライン」 日本放送協会、(社)日本民間放送連盟
【発明の概要】
【発明が解決しようとする課題】
【００１１】
そこで、本発明は、上述した眼屈折力測定装置では為し得ない、眼屈折力測定の際に小児および乳幼児でも測定の間、固視標の固視が可能であって、かつ、従来の眼屈折力測定装置のように適切な雲霧をかけることにより被検眼の調節力を除去することで、従来に比べてより精度の高い眼屈折力測定装置を提供する。
【課題を解決するための手段】
【００１２】
上記目的を達成すべく本発明は以下の特徴を有するものとして構成される。
【００１３】
即ち、本発明の眼屈折力測定装置は、被検眼の眼屈折力を測定する眼屈折力測定装置において、測定窓を介して前記被検眼の瞳孔内に測定光を投影し前記被検眼によって反射された前記測定光を受光して前記被検眼の屈折力を算出する測定部と、前記被検眼によって反射された前記測定光を受光して撮像する撮像部と、前記被検眼の固視および雲霧を行うための雲霧光学系と、前記雲霧光学系内に前記被検眼の固視を引付けるための２色以上の色が遷移する背面照明を有する固視標と、を備えることを特徴とする。
【００１４】
本発明の眼屈折力測定装置は、特に、前記雲霧光学系内に前記被検眼の固視を引付けるための色が遷移する背面照明を有する固視標を備えることにより、固視標の色の遷移に対して、小児および乳幼児は、従来に比べ固視標に興味を持って固視し続けることができる。さらに、固視標が雲霧光学系内にあることにより、小児および乳幼児のみならず大人であっても、装置の外側に固視標を設けた場合に比べ、雲霧光学系の固視標を安定的に固視することにより、雲霧光学系内の固視標が、光学的に現状の被検眼に比べ、眼屈折度数プラス方向に位置し、被検眼の眼屈折度数もプラス方向へ誘導され、その結果、被検眼の調節力を除去することができる。即ち、実際より近視方向に測定値が検出されるおそれを抑制することができ、より精度の高い測定結果が得られる。
【００１５】
前記眼屈折力測定装置は、さらに、前記被検眼の固視を前記雲霧光学系内に誘導するために前記測定窓の周囲に設けられた少なくとも２つ以上の発光素子を有する発光素子群を備える。測定窓の周囲に少なくとも２つ以上の発光素子を有する発光群を備えることにより、小児および乳幼児の興味は、前記眼屈折力測定装置に向き、さらに装置を近づけて行くにつれ、小児および乳幼児の注意は、装置の測定窓周囲に対して惹きつけられ、その結果、測定窓から雲霧光学系内における光軸上にある固視標を固視し続けることができる。
【００１６】
前記眼屈折力測定装置は、さらに、前記被検眼の固視を前記雲霧光学系内に誘導するための音声出力装置を備える。音声出力装置から固視標へ固視するための音声が流れることで、小児および乳幼児の興味は、前記眼屈折力測定装置に向き、さらに装置を近づけて行くにつれ、小児および乳幼児の注意は、装置の測定窓周囲に対して惹きつけられ、その結果、測定窓から雲霧光学系内における光軸上にある固視標を固視し続けることができる。
【００１７】
前記眼屈折力測定装置は、前記背面照明が、周期的に遷移可能な２色以上の色を有し、少なくとも１秒間隔以上で色が遷移する。固視標の背面照明の色を２色以上で遷移させることにより、小児または乳幼児が固視標に興味を持って固視し続けることができる。ここで、色の遷移の間隔を少なくとも１秒間隔以上とすることは、上述の「アニメーション等の映像手法に関するガイドライン」に記載の、特に子供に対する「映像や光の点滅」に関するガイドラインに準拠したためである。
【００１８】
前記眼屈折力測定装置は、前記発光素子群の少なくとも２つ以上の前記発光素子は、前記測定窓の周囲を一定方向に順次点灯消灯を少なくとも１秒間隔以上で繰り返す。少なくとも２つ以上の発光素子が、前記測定窓の周囲を一定方向に順次点灯消灯することで、あたかも、光の輪が前記測定窓の周囲を回転するように見えるので、小児および乳幼児の興味は、前記眼屈折力測定装置に向き、さらに装置を近づけて行くにつれ、小児および乳幼児の注意は、装置の測定窓周囲に対して惹きつけられ、その結果、測定窓から雲霧光学系内における光軸上にある固視標を固視し続けることができる。
【００１９】
前記眼屈折力測定装置は、前記発光素子群の少なくとも２つ以上の前記発光素子が、２色以上の配色を有し、少なくとも一つ置きの前記発光素子どうしまたは隣接する前記発光素子どうしは異なる配色である。前記発光素子群の少なくとも２つ以上の発光素子が、２色以上の配色を有し、少なくとも一つ置きの前記発光素子どうしまたは隣接する発光素子どうしは異なる配色であることにより、あたかも、おもちゃに用いられるような光の輪が、前記測定窓の周囲を回転するように見えるので、小児および乳幼児の興味は、前記眼屈折力測定装置に向き、さらに装置を近づけて行くにつれ、小児および乳幼児の注意は、装置の測定窓周囲に対して惹きつけられ、その結果、測定窓から雲霧光学系内における光軸上にある固視標を固視し続けることができる。
【００２０】
前記眼屈折力測定装置は、音声発生装置が、前記被検眼の固視を引付ける音声を出力する。被検者の注意を引付ける音声によって、被検者、特に小児および乳幼児が固視標を固視し続けることができる。
【００２１】
前記眼屈折力測定装置は、前記背面照明が、少なくとも緑色の中心波長を有する。ここで、比視感度が一番高い色は緑色である（波長は５５５ｎｍ）。よって、人間が明るく感じる比視感度の高い色を用いることで被検眼に対してしっかりと雲霧をさせることができ、測定精度を上げることができる。
【００２２】
前記眼屈折力測定装置は、前記発光素子群の２つ以上の前記発光素子が、少なくとも緑色の中心波長を有する。上述したように、比視感度が最も高い色は緑色なので、緑色の点滅する発光素子群の中心に位置する測定窓への視認性が高くなり、その結果、小児および乳幼児の興味は、前記眼屈折力測定装置に向き、さらに装置を近づけて行くにつれ、小児および乳幼児の注意は、装置の測定窓周囲に対して惹きつけられ、その結果、測定窓から雲霧光学系内における光軸上にある固視標を固視し続けることができる。
【００２３】
本発明の眼屈折力測定方法は、被検者に音声により少なくとも測定開始を告知する工程と、測定窓の周囲に設けられた２つ以上の発光素子を、前記測定窓の周囲に一定方向に順次点灯消灯を繰り返す工程と、前記被検者の被検眼を雲霧光学系内に誘導後、前記雲霧光学系内の固視標の背面に設けられた背面照明の色を遷移させながら点灯させる工程と、予め定められた時間経過後に、前記背面照明の輝度に対して前記発光素子の輝度を低下させる工程と、を有することを特徴とする。
【００２４】
長時間固視が困難な小児および乳幼児に対して測定する際にも、まず、被検者に音声により測定開始が公知され、測定窓の周囲に設けられた２つ以上の発光素子が一定方向に順次点滅することで、小児および乳幼児の興味は、前記眼屈折力測定装置に向き、さらに装置を近づけて行くにつれ、小児および乳幼児の注意は、装置の測定窓周囲に対して惹きつけられ、その結果、測定窓から雲霧光学系内における光軸上にある固視標を固視し続けることができる。また、固視標の背面照明の色を遷移させることにより、被験眼の固視を雲霧光学系内の固視標まで誘導し、かつ、被検眼の固視を持続させることができる。さらに、前記背面照明の輝度に対して測定窓の周囲の発光素子の輝度を低下させることにより、被検者の注意が固視標に注がれ、被検眼の固視標への固視が持続する。
【発明の効果】
【００２５】
本発明の眼屈折力測定装置によれば、注意力が持続しにくい小児および乳幼児であっても固視標を固視し続けることができるため、従来に比べ、より精度の高い測定結果が得られる。
【００２６】
本発明の眼屈折力測定方法によれば、上記同様、注意力が持続しにくい小児および乳幼児であっても固視標を固視し続けることができるため、従来に比べ、より精度の高い測定結果が得られる。
【図面の簡単な説明】
【００２７】
【図１】本発明の一実施形態における眼屈折力測定装置の構成を示す概略構成図である。
【図２】本発明の一実施形態における検影法で用いられるスリットの一例を説明する図である。
【図３】本発明の一実施形態における眼屈折力測定装置を被検者側から見た概略図である。
【図４】本発明の一実施形態における２つ以上の発光素子の点滅の一例を説明する図であって、分図４Aは発光素子のある時点の点灯状態を示す説明図、分図４Bは分図４Ａから所定時間後の発光素子の点灯状態を説明する説明図、分図４Cは分図４Ａから所定時間後の発光素子の点灯状態を説明する説明図である。
【図５】本発明の一実施形態における２つ以上の発光素子の点滅の一例を説明する図であって、分図５Ａは発光素子のある時点の点灯状態を示す説明図、分図５Ｂは分図５Ａから所定時間後の発光素子の点灯状態を説明する説明図、分図５Ｃは分図５Ａから所定時間後の発光素子の点灯状態を説明する説明図である。
【図６】本発明の眼屈折力測定方法の一例を説明するフロー図である。
【発明を実施するための形態】
【００２８】
〔眼屈折力測定装置〕
図１には、本発明の一実施形態における眼屈折力測定装置の構成を示す概略構成図が示されている。
【００２９】
図１に示すように、本発明の眼屈折力測定装置１０は、被検眼５０の眼屈折力を測定する眼屈折力測定装置において、測定窓４０を介して被検眼５０の瞳孔内に測定光を投影し前記被検眼によって反射された前記測定光を受光して前記被検眼の屈折力を算出する測定部１８と、前記被検眼５０によって反射された測定光を受光して撮像する撮像部１６と、被検眼５０の固視および雲霧を行うための雲霧光学系２０と、前記雲霧光学系２０内に被検者の被検眼５０の固視を引き付けるための２色以上の色が遷移する背面照明２０ｂを有する固視標２０ａと、を備える。
【００３０】
さらに、図１を用いて詳細に説明すると、本発明の一実施形態における眼屈折力測定装置１０は、測定原理として検影法を用いている。眼屈折力測定装置１０は、ケース１２と手持ち用のグリップ１４を有する。被検眼５０と眼屈折力測定装置１０の測定用光軸Ｏとを合致させた状態で、ケース１２内には、測定用光軸Ｏ上に設けられたダイクロイックミラー２２と、ダイクロイックミラー２２を介して被検眼５０から反射された反射光束を投影して撮像する撮像部１６と、ダイクロイックミラー２２を介して測定光を被検眼５０の眼底に投影して眼底からの反射光束を用いて測定する測定部１８と、被検眼５０の屈折調節力を除去して弛緩させるための雲霧光学系２０と、撮像部１６と測定部１８と雲霧光学系２０を制御する制御部２４とが設けられている。また、眼屈折力測定装置１０を用いて測定する測定者の眼７０に対面するケース１２の外側には、制御部２４からの処理結果を視認できるモニタ６０が設けられている。一方、眼屈折力測定装置１０を用いて測定される被検眼５０に対面するケース１２の正面には、発光素子群３０が設けられている。発光素子群３０の発光点滅は、後述するように、制御部２４によって制御される。
【００３１】
さらに、眼屈折力測定装置１０の装置構成について、詳細に説明する。
【００３２】
撮像部１６は、被検眼５０の画像を撮像し、画像情報を制御部２４に出力するものである。撮像部１６は、ハーフミラー１６ａと、第１のレンズ１６ｂと、ＣＣＤ（charge  coupled  device）１６ｃと、第２のレンズ１６ｄとを備える。被検眼５０からの赤外光は、ダイクロイックミラー２２に反射されハーフミラー１６ａを透過してＣＣＤ１６ｃの撮像面に導かれ、この間に第２のレンズ１６ｄおよび第１のレンズ１６ｂを通過することによりＣＣＤ１６ｃの撮像面に結像される。これにより、撮像部１６は、被検眼５０の画像情報を取得することができる。
【００３３】
測定部１８は、測定原理として検影法を利用して、網膜上における陰影の動きの位相差を検出することにより眼屈折力を測定するものである。測定部１８は、スリットが形成されたチョッパ１８ａと、チョッパ１８ａを回転させるモータ１８ｉと、チョッパ１８ａを照明する赤外光光源１８ｂおよび第３のレンズ１８ｃと、チョッパ１８ａにより形成される縞模様を被検眼５０の瞳孔内の眼底に投影する第４のレンズ１８ｄとを有する縞模様投影手段（測定光投影部）と、被検眼５０の眼底により反射され戻る光が形成する縞模様の移動速度を検出する受光部１８ｈと、ハーフミラー１８ｅと、第５のレンズ１８ｆ、絞り１８ｇを備える。
【００３４】
測定部１８から出射される測定光（赤外光）は、ハーフミラー１８ｅにより被検眼５０へ導かれ、一方雲霧光学系２０から出射される測定光（可視光）は、ハーフミラー１６ａ、ダイクロイックミラー２２により被検眼５０へ導かれる。ここで、測定部１８のチョッパ１８ａが回転するので、被検眼５０の眼底に投影される縞模様は移動する。例えば、図２に示すように、チョッパ１８ａの一例は、左右対象の模様１８ｊ、１８ｋから構成されているが、これに限定されるものではない。そして、被検眼５０から戻る赤外光により、受光部１８ｈ上に形成される縞模様の移動速度は、被検眼５０の眼屈折力に応じて変化する。
【００３５】
雲霧光学系２０は、被検眼５０に近い側から順に、第６のレンズ２０ｃ、固視標２０ａ、２色以上の色を遷移可能な背面照明２０ｂが配置され、さらに、モータ２０ｄを備えた視標投影手段である。
【００３６】
２色以上の色を遷移可能な背面照明２０ｂによって照明された固視標２０ａからの光束は、第６のレンズ２０ｃを通過しハーフミラー１６ａにより反射した後、さらに第２のレンズ１６ｄを通過してダイクロイックミラー２２により反射されて被検眼５０へ入射し、被検眼５０の網膜上で結像する。なお、固視標２０ａからの光束は、第６のレンズ２０ｃおよび第２のレンズ１６ｄを通過することにより被検眼５０の屈折力よりプラスの方向に変換され、被検眼５０へ入射する。従って、被検眼５０から見ると、固視標２０ａの被検眼内５０の共役位置は、被検眼内５０の網膜より前方に位置する。
【００３７】
雲霧光学系２０は、モータ２０ｄの回転により、図示しない視標移動機構を介して固視標２０ａ、２色以上の配色を有する背面照明２０ｂを光軸方向（図１中の矢印Ｂ方向）に移動可能になっている。このとき、固視標２０ａと背面照明２０ｂとは、互いの位置関係を不変にした状態で、被検眼５０の光軸方向に移動する。移動中は、２色以上の配色を有する背面照明２０ｂは様々な色の遷移を繰り返し、被検者の注意を引き付ける。背面照明２０ｂは、周期的に２色以上の色の遷移し、少なくとも１秒間隔以上で色が遷移する。なお、背面照明２０ｂについてはさらに後述する。
【００３８】
ダイクロイックミラー２２は、被検眼５０から戻る赤外光を透過させて測定部１８へ戻し、一方、被検眼５０からの可視光を反射させて、撮像部１６のＣＣＤ１６ｃの方向に導く。
【００３９】
被検眼５０側に設けられた発光素子群３０は、２つ以上の発光素子を有し、固視標２０ａへ被検者の注意を誘導させるために、制御部２４において予め定められたパターンに従って、一定方向に順次点灯、消灯を繰り返して、点滅する。発光素子群３０の発光素子の点滅については後述する。
【００４０】
制御部２４は、屈折力測定部２６、音声出力部２８を備えている。屈折力測定部２６は、測定部１８、撮像部１６および雲霧光学系２０を制御しながら、一般的な屈折力の測定を行う。音声出力部２８は、測定前より動作し、図示しないスピーカから音声を出力させて、被検者の注意を眼屈折力測定装置１０の測定窓４０側に引き付ける。図示しないスピーカから出力される音声としては、例えば、音楽、人の話し声や笑い声や叫び声、ビープ音、効果音（ピストル音、爆発音、テルミン音）などが挙げられる。被検者が小児および乳幼児の場合、彼らが好む音声、例えば、子供の笑い声や子供の好きな音楽が流れていることが好ましい。さらに、測定中にも音声出力部２８は、小児または乳幼児が固視標２０ａを固視し続けるように、固視標２０ａへの興味を惹くための誘導音声が連続または随時出力されることが好ましい。
【００４１】
モニタ６０は、撮像部１６が撮像した被検眼５０の画像と、撮影時の各種情報を表示するためのＬＣＤ（液晶表示装置）等の表示部である。そして、モニタ６０は、眼屈折力測定装置１０の被検者の被検眼５０側を正面とすると、その背面に配置されている。測定者は、モニタ６０に表示される情報を確認しながら測定を行う。
【００４２】
＜背面照明＞
背面照明２０ｂは、可視光線の範囲内において２色以上が選択され、補色関係にある２色を含むように選択することが好ましく、少なくとも１つの配色は緑色の中心波長を有するものが好ましい。このように、背面照明２０ｂが２色以上を有することにより、小児および乳幼児は、背面照明２０ｂによって光が変化するように照明される固視標２０ａに興味を持って注視することができる。
【００４３】
＜発光素子群＞
発光素子群３０は、予め、眼屈折力測定装置１０のケース１２に設けられている。なお、小児および乳幼児を被検者としない場合には、発光素子群３０を点滅させない。図３には、発光素子群３０の一例が示されている。図３に示すように、眼屈折力測定装置１０の測定窓４０の周囲には、発光素子３０ａ、３０ｂ、３０ｃ、３０ｄ、３０ｅ、３０ｆ、３０ｇ、３０ｈが設けられている。本実施形態では、発光素子３０ａ〜３０ｈは、それぞれ４色の配色で発光可能である。４色の発光色としては、可視光線の範囲内の４色であり、例えば、黄色、緑色、白色、赤色が挙げられるが、これに限るものではない。本実施の形態では、発光素子３０ａ、３０ｃ、３０ｅ、３０ｇが、それぞれ異なる色で同時に点灯しているとき、発光素子３０ｂ、３０ｄ、３０ｆ、３０ｈはそれぞれ消灯し、発光素子３０ｂ、３０ｄ、３０ｆ、３０ｈが、それぞれ異なる色で同時に点灯しているとき、発光素子３０ａ、３０ｃ、３０ｅ、３０ｇはそれぞれ消灯している。次に、図４を用いて、本実施の形態における発光素子３０ａ〜３０ｈの点滅の具体例を説明する。例えば、まず、図４Ａに示すように、発光素子３０ａは黄色、発光素子３０ｃは緑色、発光素子３０ｅは白色、発光素子３０ｇは赤色で同時に点灯し、発光素子３０ｂ、３０ｄ、３０ｆ、３０ｈはそれぞれ消灯している。次いで、所定時間後に、図４Ｂに示すように、発光素子３０ａ、３０ｃ、３０ｅ、３０ｇは消灯し、発光素子３０ｂは黄色、発光素子３０ｄは緑色、発光素子３０ｆは白色、発光素子３０ｈは赤色で同時に点灯する。さらに、所定時間後に、図４Ｃに示すように、発光素子３０ｂ、３０ｄ、３０ｆ、３０ｈは消灯し、発光素子３０ｃは黄色、発光素子３０ｄは緑色、発光素子３０ｇは白色、発光素子３０ａは赤色で同時に点灯する。これにより、例えば、黄色、緑色、白色、赤色の配色が、時計回りにその配色位置を替えながら、点灯していく。ここで、前記「所定時間」は、少なくとも１秒間隔以上である。上述のように発光素子３０ａ〜３０ｈの配色を変えながら点滅されることにより、小児及び乳幼児は、この配色の時計回りの点灯を目で追うようになり、やがて、図３に示す眼屈折力測定装置１０が眼前に近づいてきても、測定窓４０の周囲の発光素子群３０に、興味を惹き、眼屈折力測定装置を怖がることはない。さらに、小児及び乳幼児の被検眼５０は、測定窓４０に誘導され、雲霧光学系内における光軸上にある固視標を固視し続けることができる。なお、本実施の形態では、制御部２４によって、発光素子３０ａ〜３０ｈのそれぞれの点灯を時計回りとしたが、これに限るものではなく、反時計回りであってもよく、また、時計回りと反時計回りを一定時間毎に交互に行ってもよい。
【００４４】
また、発光素子群３０の他の構成について、図３と図５を用いて説明する。図３に示すように、眼屈折力測定装置１０の測定窓４０の周囲には、発光素子３０ａ、３０ｂ、３０ｃ、３０ｄ、３０ｅ、３０ｆ、３０ｇ、３０ｈが設けられている。本実施形態では、隣接する発光素子３０ａと発光素子３０ｂどうしは、異なる色で発光することが好ましい。同様に、隣接する発光素子３０ｃと発光素子３０ｄどうし、隣接する発光素子３０ｅと発光素子３０ｆどうし、隣接する発光素子３０ｇと発光素子３０ｈどうしも、異なる色で発光することが好ましい。さらに、発光素子３０ａ、３０ｂ、３０ｃ、３０ｄ、３０ｅ、３０ｆ、３０ｇ、３０ｈは、発光素子３０ｂと発光素子３０ｃどうし、発光素子３０ｄと発光素子３０ｅどうし、発光素子３０ｆと発光素子３０ｇどうし、発光素子３０ｈと発光素子３０ａどうしも、異なる色で発光することが好ましい。また、各発光素子３０ａ〜３０ｈは可視光線の範囲内の２色以上であり、好ましくは、可視光線の範囲内で各発光素子３０ａ〜３０ｈが全て異なる色で発光してもよい。例えば、各発光素子３０ａ〜３０ｈが全て異なる色で、かつ、その配列が、虹色を構成するように配置されていてもよい。ここで、後述するように、各発光素子３０ａ〜３０ｈの点滅は、少なくとも１秒間隔以上である。
【００４５】
発光素子３０ａ、３０ｂ、３０ｃ、３０ｄ、３０ｅ、３０ｆ、３０ｇ、３０ｈは、例えば図４に示すように、一定方向（図４では右回り）に順次点灯消灯を繰り返し、その点滅のタイミングは少なくとも１秒間隔以上である。但し、一定方向は図４に示す右回りに限らず、左回りであってもよく、さらに右回りと左回りを交互に行うように制御部２４に予め設定しておいてもよい。このように、あたかも光の輪を形成するように回転することによって、小児および乳幼児は光の輪の中心の測定窓４０を注視することになり、測定窓４０内の固視標２０ａを固視することができる。
【００４６】
〔眼屈折力測定方法〕
次に、本発明の眼屈折力測定方法の一例について、図１および図６を用いて説明する。
【００４７】
まず、測定前に被検者の被検眼５０を、雲霧光学系２０内の固視標２０ａに誘導するために、音声出力部２８が音声による測定開始の告知を行う（ステップ１００）。なお、本明細書では、「ステップ」を「Ｓ」と略して図示する。
【００４８】
次に、音声出力と同時または音声出力後に、眼屈折力測定装置１０の正面に設けられた発光素子群３０の２つ以上の発光素子が、測定窓４０の周囲に一定方向に順次点灯消灯を繰り返す（Ｓ１０２）。このように点灯消灯を繰り返すと、あたかも測定窓４０の周囲で、光の輪が回転するように見える。一定方向は、図４及び図５を用いて上述したように右回り（時計回り）でも左回り（反時計回り）でもそれらの組み合わせであってもよい。また、各発光素子３０ａ〜３０ｈがランダムに点滅してもよい。各発光素子３０ａ〜３０ｈの配色は色覚異常患者でも認識できるように、赤―緑、青―紫、水色―ピンク等の認識しづらい組み合わせにしてもよい。この時、上記非特許文献１に記載されているように、「映像や光の点滅は原則として1秒間に3回を超える使用は避ける」とあるので、例えばてんかんのリスクを避けるため色の点滅点灯の周期や、一定方向の点滅による光の輪の周期は、一秒以上とする。
【００４９】
次に、被検眼５０の固視を雲霧光学系２０内に誘導後、背面照明２０ｂが少なくとも2色以上の色を遷移させながら点灯する（Ｓ１０４）。このように、背面照明２０ｂの色を遷移することで、固視標２０ａへの被検眼５０の固視が維持させる。背面照明２０ｂの色の遷移も、上述の各発光素子３０ａ〜３０ｈの点滅と同様に、例えばてんかんのリスクを避けるために、１秒以上とする。被検者の被検眼５０の固視を、発光素子群３０の各発光素子３０ａ〜３０ｈの点滅によって導かれた測定窓４０から固視標２０ａへうまく誘導させるために、発光素子群３０の各発光素子３０ａ〜３０ｈの点滅パターンと背面照明２０ｂの色の遷移パターンのタイミングは合わせることが好ましい。
【００５０】
次いで、測定条件が成立したら、被検者の注意を固視標２０ａへさらに集中させるために、雲霧光学系２０における背面照明２０ｂの輝度に対して、眼屈折力測定装置１０の正面に設けられた発光素子群３０の２つ以上の発光素子３０ａ〜３０ｈの輝度を落とす（Ｓ１０６）。また、この時、発光素子群３０の発光素子３０ａ〜３０ｈの輝度を落とすだけではなく、消灯してもよい。測定条件はアライメント、ワーキングディスタンスがある条件になれば、自動的に測定を始めてもよいし、眼屈折力測定装置１０の図示しない測定スイッチが押されたときでもよい。被検眼の調節力を除去するために、屈折力をプラスの状態に誘導させる必要がある。このため、固視標２０ａを図１に示すＢの矢印方向に進退させる。この動作が完了した後、眼屈折力測定を開始する。測定中調節力がまだ残存していることを制御部２４が判断した場合は、再び固視標２０ａが動き、被検眼の調節力を取り除くことを行う。この動作が完了後、再び眼屈折力測定を開始する。
【００５１】
本発明における上記実施形態の眼屈折力測定装置として、手持ち型を例示したが、これに限定されない。例えば、眼屈折力測定装置は、机等に配置される据え置型でもよい。この場合、被検眼の側から装置に近づくようになる。
【００５２】
上述した本発明の実施形態の眼屈折力測定装置１０は、検影法（スキアスコピー／レチノスコピー）を利用した眼屈折力測定装置の例を示したが、これに限定されない。例えば、オートレフラクトメータのような眼屈折力測定装置もよい。どちらの装置も雲霧光学系を装置内に実装しているので、図１に示すように、雲霧光学系内に固視標２０ａと背面照明２０ｂを有し、装置内に音声出力部２８を設け、装置の被検眼５０側に、２つ以上の発光素子を有する発光素子群３０を設けることにより、本発明と同様の効果が得られる。
【符号の説明】
【００５３】
１０  眼屈折力測定装置
１２  ケース
１４  グリップ
１６  撮像部
１６ａ  ハーフミラー
１６ｂ  第１のレンズ
１６ｃ  ＣＣＤ
１６ｄ  第２のレンズ
１８  測定部
１８ａ  チョッパ
１８ｂ  赤外光光源
１８ｃ  第３のレンズ
１８ｄ  第４のレンズ
１８ｅ  ハーフミラー
１８ｆ  第５のレンズ
１８ｇ  絞り
１８ｈ  受光部
１８ｉ  モータ
１８ｊ、１８ｋ  模様
２０  雲霧光学系
２０ａ  固視標
２０ｂ  背面照明
２０ｃ  第６のレンズ
２０ｄ  モータ
２２  ダイクロイックミラー
２４  制御部
２６  屈折力測定部
２８  音声出力部
３０  発光素子群
３０ａ、３０ｂ、３０ｃ、３０ｄ、３０ｅ、３０ｆ、３０ｇ、３０ｈ  発光素子
４０  測定窓
５０  被検眼
６０  モニタ
７０  測定者の眼
Ｏ    測定用光軸
【図１】
2020127673.tif 000003
【図２】
2020127673.tif 000004
【図３】
2020127673.tif 000005
【図４】
2020127673.tif 000006
【図５】
2020127673.tif 000007
【図６】
2020127673.tif 000008